(57)【要約】【課題】簡便な構成で画像同士の合成結果を知ることができる画像表示装置を提供する。【解決手段】画像に人物像がどのように合成されるかを表示する外部表示装置１８は、上記画像を表示画面に表示するＬＣＤパネル２０と、ＬＣＤパネル２０の表示画面上に設けられたマジックミラー２１とを備える。【選択図】　図１
2004126389.tif 000002
【特許請求の範囲】
【請求項１】
画像に人物像がどのように合成されるかを表示する画像表示装置であって、
上記画像を表示画面に表示する表示手段と、
該表示手段の表示画面上に設けられた半透鏡手段とを備えることを特徴とする画像表示装置。
【請求項２】
上記画像において人物像が合成される領域を低輝度とした画像を表示するように表示手段を制御する制御手段をさらに備えることを特徴とする請求項１に記載の画像表示装置。
【請求項３】
被写体の撮影を行う撮影手段と、該撮影に基づいて画像を作成してプリント紙に出力する画像出力手段とを備える写真プリントシステムにおいて、
請求項１または２に記載の画像表示装置を備えることを特徴とする写真プリントシステム。
【請求項４】
上記画像表示装置の表示手段および半透鏡手段は、写真プリントシステムの利用を待機している待機者が利用できる位置に配備することを特徴とする請求項３に記載の写真プリントシステム。
【請求項５】
請求項３または４に記載の写真プリントシステムに用いられるプリント紙ユニットであって、
画像が印刷されるプリント紙と、上記プリント紙に関する識別情報を記録する識別媒体とを備え、
上記写真プリントシステムに備えられた識別情報読取手段によって、上記識別媒体に記録されている識別情報が読み取られ、その内容が確認された上で上記プリント紙に画像が出力されることを特徴とするプリント紙ユニット。
【発明の詳細な説明】
【０００１】
【発明の属する技術分野】
本発明は、画像に人物像がどのように合成されるかを表示する画像表示装置、該画像表示装置を備えた写真プリントシステム、および該システムに用いられるプリント紙ユニットに関するものである。
【０００２】
【従来の技術】
現在、複数枚の画像同士を重ね合わせて、別の画像を作成する画像合成が盛んに行われている。例えば、ゲームセンターなどの娯楽施設に設置され、人気を博している写真シール自動販売機は、利用者の写真撮影を行うとともに、その写真撮影によって取得された撮影画像に対して、背景画像などと合成した上でシールプリントとして出力するものである。
【０００３】
【発明が解決しようとする課題】
しかしながら、利用者としては、実際に金額を支払って画像合成する前に、合成された画像がどのようなものかを知ることを望むものである。このため、画像合成を無料で試用できることが望ましいが、画像同士を実際に合成する以上、電気代などの金額が発生し、これを店側が負担することになる。
【０００４】
例えば、上記写真シール自販機では、該写真シール自販機を初めてプレイしようとするユーザにとって、外部にゲームの内容を説明したシートなどが貼り付けてあるとはいうものの、実際にコインを入れて試してみないと面白そうかどうかわからないという欠点があり、信頼できる友達からの、いわゆる、口コミ情報をあてにするしかない。
【０００５】
また、上記写真シール自販機では、ユーザ画像とあらかじめ準備された例えば背景画像などの画像を合成表示したい場合、利用者を撮影するための専用カメラや、画像合成装置などが必要である。
【０００６】
本発明は上記の問題点を解決するためになされたもので、その目的は、簡便な構成で画像同士の合成結果を知ることができる画像表示装置などを提供することにある。
【０００７】
【課題を解決するための手段】
上記の課題を解決するために、本発明の画像表示装置は、画像に人物像がどのように合成されるかを表示する画像表示装置であって、上記画像を表示画面に表示する表示手段と、該表示手段の表示画面上に設けられた半透鏡手段とを備えることを特徴としている。
【０００８】
ここで、半透鏡手段とは、入射光の一部を反射し、一部を透過する手段をいう。半透鏡手段の具体例としては、ハーフミラーおよびマジックミラーが挙げられる。マジックミラーは、光の反射率が高く透過率が低い半透鏡手段であり、暗い側からは明るい側を透視することができる一方、明るい側からは暗い側を透視することができずに鏡となるものである。
【０００９】
上記の構成によると、利用者は、表示画面に表示され、半透鏡手段にて透過した背景画像などの画像を見るとともに、半透鏡手段にて反射した利用者の鏡像を見ることができる。したがって、本発明の画像表示装置は、画像と人物像とを実際に合成する画像合成装置を用いることなく、表示手段に半透鏡手段のみを設けるという簡便な構成で、画像と人物像との合成結果を知ることができる。
【００１０】
なお、半透鏡手段は、少なくとも、半透鏡手段にて透過した表示画面からの画像を利用者が認識できる程度の透過率を有し、かつ、半透鏡手段にて反射した利用者の鏡像を利用者が認識できる程度の反射率を有することが望ましい。
【００１１】
さらに、本発明の画像表示装置は、上記の構成において、上記画像において人物像が合成される領域を低輝度とした画像を表示するように表示手段を制御する制御手段をさらに備えることを特徴としている。
【００１２】
上記の構成によると、制御手段の制御により表示手段の表示画面に表示される画像は、人物像が合成される領域が黒色などの低輝度となる。これにより、人物像が合成される領域からの発光が抑えられるため、半透鏡手段の対応する領域に利用者の鏡像が明確に表示されることになる。したがって、画像と人物像との明確な合成結果を表示することができる。
【００１３】
また、本発明の写真プリントシステムは、被写体の撮影を行う撮影手段と、該撮影に基づいて画像を作成してプリント紙に出力する画像出力手段とを備える写真プリントシステムにおいて、上記構成の画像表示装置を備えることを特徴としている。
【００１４】
写真プリントシステムでは、撮影により作成された被写体画像に対して、背景画像などの画像を合成することが行われる。したがって、上記の構成によると、写真プリントシステムに上記構成の画像表示装置を備えることにより、簡単な構成で、画像と人物像との合成結果を表示でき、実際に合成した画像を表示する手段を省略することができる。これにより、写真プリントシステムのコストの低減を図ることができる。
【００１５】
また、本発明の写真プリントシステムは、上記の構成において、上記画像表示装置の表示手段および半透鏡手段は、写真プリントシステムの利用を待機している待機者が利用できる位置に配備することを特徴としている。
【００１６】
上記の構成によると、画像と人物像との合成結果を簡便な構成で表示することができる画像表示装置が、写真プリントシステムの利用を待機している待機者が利用できる位置に配備される。これにより、写真プリントシステムにて利用される背景画像などの画像を画像表示装置の表示手段に表示すれば、画像表示装置は、これらの画像と上記待機者の鏡像との合成結果を表示することになる。したがって、上記待機者は、写真プリントシステムを実際に利用する前に、画像と利用者の人物像との合成結果を知ることができる。
【００１７】
また、本発明のプリント紙ユニットは、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力されることを特徴としている。
【００１８】
上記の構成によれば、識別情報読取手段で読み取った識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００１９】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００２０】
また、識別情報に用紙種類情報を含ませることによって、これらを考慮して画像データの色成分などを補正することにより、その用紙やインクフィルムに的確な画像出力を行うことが可能となる。
【００２１】
【発明の実施の形態】
本発明の一実施形態について図１〜図１８に基づいて説明すれば、以下のとおりである。図１は本実施形態の写真プリントシステムの外観を示しており、図４および図５は該写真プリントシステムの内部構成を示している。
【００２２】
写真プリントシステム１０には本体装置１１が配備される。本体装置１１には、主に利用者１３を被写体として撮影を行う撮影装置（撮影手段）１２が一方の側に配備され、撮影装置１２により作成された撮影画像に対して利用者１３が画像編集を行う画像編集装置１４が他方の側に配備される。なお、本願では、撮影装置１２が配備される側を後側とし、画像編集装置１４が配備される側を前側とする。
【００２３】
また、本体装置１１の左右両側の何れか一方（図１では右側）には、画像編集装置１４により作成された編集画像がプリント出力されたプリント紙が排出されるプリント排出口１５が配備される。
【００２４】
本体装置１１の後方は、外部から内部に進入する光を遮断する遮光幕１６によって囲まれており、その内部が撮影を行う撮影空間となる。また、利用者が撮影空間に対して出入りする出入口には、利用者が出入りし易いような遮光カーテン１７が配備される。なお、防犯上の理由から、出入口の下部が空いた状態となるように、遮光カーテン１７が配備される。
【００２５】
本実施形態では、写真プリントシステム１０の外部の適所に外部表示装置１８が配備される。外部表示装置１８は、写真プリントシステム１０の利用を待機している利用者１９…が利用しやすい位置（図１では右側の遮光幕１６）に配備される。
【００２６】
外部表示装置１８は、後記する制御装置から画像データを受け取り、該画像データに基づく画像を表示画面に表示するＬＣＤ（Ｌｉｑｕｉｄ　Ｃｒｙｓｔａｌ　Ｄｉｓｐｌａｙ）パネル２０と、ＬＣＤパネル２０を覆うように設けられたマジックミラー２１とを備える構成である。なお、本願では、マジックミラー２１において、ＬＣＤパネル２０が配備される側を内側とし、その反対側を外側とする。
【００２７】
マジックミラー２１は、光の反射率が高く透過率が低いハーフミラーであり、暗い側からは明るい側を透視することができる一方、明るい側からは暗い側を透視することができずに鏡となるものである。
【００２８】
上記構成の外部表示装置１８において、図２（ａ）（ｂ）に示されるように、ＬＣＤパネル２０の表示画面に画像が表示される場合には、マジックミラー２１を通過して、マジックミラー２１上にも表示されることになる。なお、同図（ａ）では、既に別の利用者１３が撮影中であり、待機中の利用者１９の入場を禁止する表示を行っており、同図（ｂ）では、別の利用者１３の撮影が終了して、待機中の利用者１９の入場を促す表示を行っている。
【００２９】
一方、図２（ｃ）に示されるように、ＬＣＤパネル２０の画面表示が停止している場合や、表示画面に黒色などの低輝度の画像が表示される場合には、マジックミラー２１は、内側からの光が無いまたは少ないため、外側からの光を反射することのみを行う鏡面状態となる。この場合、マジックミラー２１上には、待機中の利用者１９の鏡像が表示されるので、待機中の利用者１９は、自身の鏡像を見ながら髪型を直すなど、撮影前の準備を待機中に行うことができる。
【００３０】
さらに、ＬＣＤパネル２０には、撮影画像に合成されるべき画像のサンプルが表示される。この場合、サンプル画像は、図３（ａ）に示されるように、撮影画像が合成されるべき領域が黒色に表示される。これにより、マジックミラー２１上では、図３（ｂ）に示されるように、撮影画像が合成されるべき領域以外の領域にサンプル画像が表示される。一方、撮影画像が合成されるべき領域は、鏡面状態となるから、待機中の利用者１９の鏡像が表示される。すなわち、サンプル画像と待機中の利用者１９の鏡像とが合成されたような画像を表示することができる。
【００３１】
したがって、本実施形態では、ＬＣＤおよびマジックミラーという簡便な構成で撮影画像との合成結果の概要が理解できるから、利用者が所望しない合成結果を得て料金を無駄にすることを防止できる。また、合成結果の概要から、撮影のポーズや落書きなどといった、写真撮影および画像編集における構想を待機中に練ることができる。これにより、待機によるイライラを解消することができるとともに、利用者の写真撮影および画像編集の効率を向上させることができる。
【００３２】
次に、写真プリントシステム１０の撮影空間に配備される撮影装置および撮影用表示装置について説明する。図４は、写真プリントシステム１０における撮影空間内の構成を示しており、図６は、本体装置１１を後方から見た外観を示している。
【００３３】
図４および図６に示されるように、撮影空間の前方には本体装置１１が設けられ、本体装置の背面部の中央上部には、利用者１３ａのアップ撮影を行うアップ撮影装置１２ａが配備され、前記背面部の中央下部には、利用者１３ｂの全身撮影を行う全身撮影装置１２ｂとが配備される。また、撮影空間の天井部には、天井から下方の利用者１３を撮影する天井撮影装置１２ｃが配備される。
【００３４】
また、各撮影装置１２ａ・１２ｂの近くには、それぞれの撮影装置から取得されるライブビュー画像、撮影における指示画像など各種画像を表示する撮影用表示装置２３ａ・２３ｂが配備される。
【００３５】
図４には、各撮影装置１２ａ〜１２ｃにおける撮影カメラ３０ａ〜３０ｃによる撮影領域が一点鎖線で示されている。同図を参照すると、アップ撮影カメラ３０ａの撮影領域には、天井撮影装置１２ｃが入っており、天井撮影カメラ３０ｃの撮影領域には、全身撮影装置１２ｂおよび全身撮影用表示装置２３ｂが入っている。
【００３６】
したがって、アップ撮影装置１２ａによって作成された撮影画像には、天井撮影装置１２ｃが写り込むことになり、天井撮影装置１２ｃによって作成された撮影画像には、全身撮影装置１２ｂおよび全身撮影用表示装置２３ｂが写り込むことになる。すなわち、撮影画像に余計なものが写り込むため、撮影画像に対する被写体の満足度が低下することになる。
【００３７】
この問題点を解決するため、撮影用表示装置２３ａ・２３ｂおよび撮影装置１２ａ〜１２ｃは以下の構成となっている。なお、以下では、撮影装置を総称する場合には「撮影装置１２」と記載し、撮影用表示装置を総称する場合には「撮影用表示装置２３」と記載することにする。
【００３８】
図６に示されるように、撮影用表示装置２３は、上述の外部表示装置１８と同様に、ライブビュー画像などを表示画面に表示するＬＣＤパネル３２と、ＬＣＤパネル３２を覆うように設けられたマジックミラー３３とを備える構成である。
【００３９】
上記の構成によると、ＬＣＤパネル３２に表示された画像は、写真撮影時以外では、マジックミラー３３を透過して撮影空間内の利用者１３が見ることができる。そして、写真撮影時には、ストロボランプからの閃光が撮影空間に照射される。このため、マジックミラー３３では、内側から外側に透過する光よりも、外側で反射する光の方が強いから、マジックミラー３３は鏡面状態となる。これにより、天井撮影装置１２ｃによって作成された撮影画像に、全身撮影用表示装置２３ｂ内のＬＣＤパネル３２ｂとが写り込むことを防止できる。
【００４０】
また、図９は、撮影装置１２の内部構成を示している。図９に示されるように、撮影装置１２は、被写体の撮影を行う撮影カメラ３０と、撮影カメラ３０を覆うように設けられたマジックミラー３１と、撮影カメラ３０およびマジックミラー３１の間に設けられた補助照明ランプ３８・３８とを備える構成である。撮影カメラ３０は、例えばレンズ群、絞り、ＣＣＤ（Ｃｈａｒｇｅ　Ｃｏｕｐｌｅｄ　Ｄｅｖｉｃｅ）撮像素子などを備えたデジタルカメラによって構成される。
【００４１】
上記の構成によると、撮影カメラ３０は、マジックミラー３１を透過して撮影空間内の利用者１３を撮影することができる。そして、写真撮影時には、ストロボランプからの閃光が撮影空間に照射されることにより、マジックミラー３１は鏡面状態となる。これにより、アップ撮影装置１２ａによって作成された撮影画像に、天井撮影装置１２ｃ内の撮影カメラ３０ｃが写り込むことを防止できる。同様に、天井撮影装置１２ｃによって作成された撮影画像に、全身撮影装置１２ｂ内の撮影カメラ３０ｂが写り込むことを防止できる。
【００４２】
また、他の撮影装置１２および撮影用表示装置２３の隠蔽を、補助照明３８の消灯およびＬＣＤパネル３２の非表示というソフト制御のみで実現することができ、シャッタなどのような隠蔽のためのメカニカル機構を備える場合に比べて、写真プリントシステムの故障の発生確率を低下させることができる。
【００４３】
さらに、撮影装置１２および撮影用表示装置２３の作用効果について説明する。本実施形態では、複数の撮影装置１２ａ〜１２ｃおよび撮影用表示装置２３ａ・２３ｂが配備されている。このため、利用者１３は、何れの撮影装置１２および撮影用表示装置２３を見ればよいのかが分からないという問題点がある。
【００４４】
これに対し、撮影を行う撮影装置１２の補助照明３８を点灯し、対応する撮影用表示装置２３を表示するとともに、他の撮影装置１２の補助照明３８を消灯し、他の撮影用表示装置２３の表示を停止するようにする。
【００４５】
これにより、例えば図７に示されるように、アップ撮影を行う場合には、アップ撮影装置１２ａ内の撮影カメラ３０ａをマジックミラー３１ａを介して利用者１３が見ることができるとともに、アップ撮影用表示装置２３ａ内のＬＣＤパネル３２ａをマジックミラー３３ａを介して利用者１３が見ることができる。一方、他の撮影装置１２ｂ・１２ｃのマジックミラー３１ｂ・３１ｃと、他の撮影用表示装置２３ｂのマジックミラー３３ｂとが鏡面状態となる。したがって、利用者１３は、何れの撮影装置１２および撮影用表示装置２３を見ればよいのかを容易に理解することができる。
【００４６】
また、撮影用表示装置２３のＬＣＤパネル３２には、画像編集のときに合成されるべき撮影画像の領域のライブビュー画像のみを表示し、他の領域を黒色とすることもできる。この場合、マジックミラー３３上には、図８（ａ）（ｂ）に示されるように、合成されるべき領域のライブビュー画像のみが表示され、他の領域が鏡面状態となる。
【００４７】
なお、合成されるべき領域の寸法および形状は、被写体である利用者１３の人数により、例えば同図（ａ）に示されるように縦楕円形としたり、同図（ｂ）に示されるように横楕円形としたりするように、様々に変化させることができる。
【００４８】
次に、利用者１３が写真撮影における各種の操作を行う操作装置について説明する。図４および図５に示されるように、操作装置２５ａ・２５ｂは、それぞれ全身撮影およびアップ撮影に好適な被写体位置の両側に配備される支柱２４ａ・２４ｂの適所に配備される。
【００４９】
この場合、図５に一点鎖線で示されるように、全身撮影装置１２ｂの撮影カメラ３０ｂの撮影領域には、全身撮影用操作装置２５ａ・２５ａが入っている。このため、全身撮影装置１２ｂによって作成された撮影画像には、全身撮影用操作装置２５ａ・２５ａが写り込むことになる。すなわち、撮影画像に余計なものが写り込むため、撮影画像に対する被写体の満足度が低下することになる。
【００５０】
この問題点を解決するため、操作装置２５ａ・２５ｂは以下の構成となっている。なお、以下では、操作装置を総称する場合には「操作装置２５」と記載することにする。
【００５１】
図１０（ａ）（ｂ）に示されるように、操作装置２５は、操作ボタンなどを表示画面に表示するＬＣＤパネル４０と、ＬＣＤパネル４０を覆うように設けられたマジックミラー４１と、マジックミラー４１上においてＬＣＤパネル４０と対応する位置に設けられたタッチセンサ４２と、タッチセンサ４２を覆うように設けられた保護フィルム４３とを備える構成である。なお、図１０（ａ）では、操作装置２５の立体的構成が理解され易いように、保護フィルム４３が省略されている。
【００５２】
上記の構成によると、ＬＣＤパネル４０に表示された画像は、写真撮影時以外では、マジックミラー４１を透過して撮影空間内の利用者１３が見ることができ、利用者１３が表示されたボタンを押すとタッチセンサ４２が検知して、後述する制御装置に信号を送信する。
【００５３】
そして、写真撮影時には、ストロボランプからの閃光が撮影空間に照射されて、前述と同様に、マジックミラー４１は鏡面状態となる。これにより、全身撮影装置１２ｂによって作成された撮影画像に、全身撮影用操作装置２５ａ・２５ａ内のＬＣＤパネル４０ａが写り込むことを防止できる。
【００５４】
さらに、本実施形態では、複数の操作装置２５ａ・２５ｂが配備されているから、利用者１３は、何れの操作装置２５を見ればよいのかが分からないという問題点がある。これに対し、前述と同様に、撮影を行う撮影装置１２に対応する操作装置２５を表示するとともに、他の操作装置２５の表示を停止するようにすることができる。
【００５５】
これにより、例えばアップ撮影を行う場合には、アップ撮影用操作装置２５ｂ内のＬＣＤパネル４０ｂをマジックミラー４１ｂを介して利用者１３が見ることができる一方、他の撮影用操作装置２５ａのマジックミラー４１ａが鏡面状態となる。したがって、利用者１３は、何れの操作装置２５を操作すればよいのかを容易に理解することができる。
【００５６】
なお、操作装置２５は、図１０に示される構成に代えて、図１１に示されるように、上下左右の矢印をそれぞれ表示する４つの照光型パネル５０…と、照光型パネル５０…を覆うように設けられたマジックミラー５１と、マジックミラー５１上において照光型パネル５０…と対応する位置に設けられた４つのタッチセンサ５２…とを備える構成とすることもできる。この場合、ＬＣＤパネルを使用するよりもコストダウンを図ることができる。
【００５７】
また、ＬＣＤパネル４０に表示される画像は、撮影空間内の雰囲気に合わせて、図１２（ａ）に示されるようなホラーモード用のボタン画像を表示したり、外国人客のために、同図（ｂ）に示されるような英語モード用のボタン画像を表示したりすることもできる。なお、図１２（ａ）（ｂ）では、ボタン画像を明示するため、タッチセンサ４２および保護フィルム４３を省略している。
【００５８】
次に、撮影終了後の画像編集処理が行われる画像編集装置１４の構成について、図１３に基づいて説明する。図１３は、本体装置１１を前方から見た外観を示している。画像編集装置１４は、編集画像、画像編集に利用される各種ツールの画像など各種画像が表示される編集表示タブレット６０と、編集表示タブレット６０を覆うように設けられたマジックミラー６１と、編集表示タブレット６０およびマジックミラー６１の近傍に配置され、編集表示タブレット６０上の位置を指示するタブレット用ペン６２とを備える構成であり、本体装置１１の前面の適所に配備される。
【００５９】
上記の構成によると、画像編集において以下の効果が得られる。例えば、編集中の画像を編集表示タブレット６０に表示し、マジックミラー６１上でタブレット用ペン６２を動かすことにより、その軌跡部分が黒色となるように編集表示タブレット６０に表示される画像を変更する。
【００６０】
この場合、図１４（ａ）に示されるように、タブレット用ペン６２の軌跡部分が鏡面状態となり、簡便な構成で、あたかもきらきら光る画像コンテンツをリアルタイムに合成したかのような効果が得られる。
【００６１】
別の例では、まず、編集表示タブレット６０の表示画面を黒一色に表示する。これにより、マジックミラー６１は鏡面状態となる。次に、利用者１３が、マジックミラー６１上に写る利用者１３の鏡像をタブレット用ペン６２でなぞる。このとき、その軌跡部分が白色などの明るい色となるように編集表示タブレット６０に表示される画像を変更する。
【００６２】
この場合、図１４（ｂ）に示されるように、タブレット用ペン６２の軌跡部分が編集表示タブレット６０に表示されることになり、簡便な構成で、利用者１３の似顔絵を簡単に作成することができる。なお、作成された似顔絵画像は、スタンプ画像として撮影画像に貼付け合成することができる。
【００６３】
次に、写真プリントシステム１０のその他の構成について説明する。図６に示されるように、本体装置１１の背面部には、照明装置３４・３４、コイン投入口３５、コイン返却口３６、およびスピーカ３７が配備される。また、本体装置１１の内部には、図１５に示されるように、制御装置７０、記憶装置７１、コイン処理装置７２、プリンタ７３、ＩＤタグ７４、およびシール紙ユニット（プリント紙ユニット）７５が配備されている。
【００６４】
照明装置３４・３４は、撮影時にストロボランプなどの写真閃光灯として機能するとともに、通常時の照明として機能するものである。照明装置３４・３４は、被写体である利用者を照らすために、図６に示されるように、本体装置１１の背面部の両側に配備される。なお、撮影空間内の別の場所にも照明装置を配備することが望ましい。
【００６５】
コイン投入口３５およびコイン返却口３６は、本体装置１１の背面部の適所（図６では、背面部の中央）に配備される。コイン投入口３５は、利用者１３が写真プリントシステム１０の利用料金として所定のコインを所定枚数だけ投入するための投入口である。このコイン投入口３５に連通して、コイン処理装置７２が本体装置１１の内部に設けられている。
【００６６】
コイン処理装置７２は、所定のコインが投入されたか否かを判定する。所定のコインが投入されたと判定した場合には、後記する制御装置に通知し、投入されたコインを、コインを蓄積するコイン容器（図示せず）に送り出す。一方、所定のコイン以外のコインが投入されたと判定した場合には、投入されたコインをコイン返却口３６に送り出す。
【００６７】
なお、紙幣やコインを所定のコインに両替する両替機が写真プリントシステム１０の近くに存在しない場合には、新たに紙幣投入口を設けて、紙幣処理部を設けたり、釣銭処理部を設けたりすることが望ましい。
【００６８】
スピーカ３７・３７は、本体装置１１の背面部の適所（図６では、背面部の上部および下部）に配備される。スピーカ３７・３７は、各種の音声ガイダンスおよび効果音を出力する。
【００６９】
図１５は、制御装置７０を中心とした写真プリントシステム１０の構成を示している。制御装置７０は、写真プリントシステム１０内における上述した各種構成の動作を統括的に制御するものである。この制御装置７０は、例えばＰＣベースのコンピュータによって構成される。そして、各種構成の動作制御は、制御プログラムをコンピュータに実行させることによって行なわれる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置７０がインターネットなどの通信ネットワークに接続された構成とする場合、この通信ネットワークを介して上記プログラムをダウンロードしてハードディスクなどにインストールして実行する形態なども考えられる。
【００７０】
制御装置７０は、上記したハードディスクなどの不揮発性の記憶装置によって構成される記憶装置７１に接続される。記憶装置７１に記憶される内容としては、上記した制御プログラム、ＯＳ（Ｏｐｅｒａｔｉｎｇ　Ｓｙｓｔｅｍ）プログラム、およびその他各種プログラム、撮影装置１２における動作設定値、撮影した画像および編集した画像の画像データなどが挙げられる。撮影装置１２における上記動作設定値としては、装置出荷時やメンテナンス時などに設定されるホワイトバランスの値、撮影画像の明暗などを調整する際の画像処理に関する各種パラメータ値などが挙げられる。
【００７１】
コイン処理装置７２は、前述のように、コイン投入口３５から所定のコインが投入されたと判定すると、制御装置７０に通知するものである。制御装置７０は、コイン処理装置７２からの通知を受け取ると、課金処理を行う。すなわち、制御装置７０は、コイン処理装置７２からの通知をカウントし、利用者が投入した金額に応じて、利用者に対する各種動作を制御する。
【００７２】
プリント出力装置は、プリンタ７３およびＩＤタグリーダ／ライタ７４を備える構成である。このプリント出力装置に対して、写真プリントの出力媒体となるシール紙（プリント紙）７６およびＩＤタグ（識別媒体）７７がシール紙ユニット（プリント紙ユニット）７５としてセットで納入されるようになっている。
【００７３】
プリンタ７３は、出力すべき画像データが制御装置７０から送られてくると、その画像データに基づいてシール紙７６に印刷するものである。このプリンタ７３としては、例えば昇華型プリンタが用いられる。なお、昇華型プリンタを用いる場合には、シール紙７６およびＩＤタグ７７に加えて、昇華型用インクフィルムがセットととなって納入されることになる。
【００７４】
ＩＤタグリーダ／ライタ７４は、ＩＤタグ７７に記録されている各種識別情報を読み出して制御装置７０に出力する。ＩＤタグ７７は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００７５】
制御装置７０は、ＩＤタグリーダ／ライタ７４で読み取った識別情報に基づいて、装着されたシール紙７６およびインクフィルムが、当該写真プリントシステム１０において利用可能なものであるかを判定し、利用可能である場合にのみプリンタ７３を動作可能とする。すなわち、写真プリントシステム１０において指定されているシール紙７６およびインクフィルム以外は使用できないように設定されていることになる。
【００７６】
また、ＩＤタグ７７に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者５０の利用中に用紙切れを起こすというような不具合を回避することが可能となる。
【００７７】
なお、用紙枚数をカウントダウンする際には、ＩＤタグ７７に記録されている用紙枚数情報も書き換えることが望ましい。これにより、用紙を使い切った場合には、ＩＤタグ７７に記録されている用紙枚数情報も０となり、このＩＤタグ７７を無効にすることが可能となる。
【００７８】
また、ＩＤタグ７７に記録されている用紙種類情報や、インク固有の色情報を読み出すことによって、これらを考慮して画像データの色成分などを補正することにより、そのシール紙７６やインクフィルムに的確な画像出力を行うことが可能となる。
【００７９】
ＩＤタグ７７としては、無線（ワイヤレス）によりデータ通信を行うことが可能な非接触型ＩＤタグと、端子が設けられた接触型ＩＤタグとがあり、ＩＤタグリーダ／ライタ７４としては、これらの何れか一方あるいは両方に対応したものとなる。
【００８０】
なお、上記の例では、利用可能なシール紙７６であるか否かを確認するために、ＩＤタグ７７を利用しているが、これに限定されるものではなく、例えば、シール紙７６およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００８１】
なお、本実施形態では、粘着シートおよび該粘着シールの粘着面に貼り付けられている剥離シートからなるシール紙７６を使用しているが、通常の紙状媒体である紙状シートであってもよい。
【００８２】
上記構成の写真プリントシステム１０において、利用者による撮影から編集、印刷に至るプレイ動作について、図１６に基づいて説明する。まず、利用者１９は、写真プリントシステム１０の右側の待ち行列に並んで、プレイを待機する（ステップＳ１０。以下、単に「Ｓ１０」と記載することがある。他のステップについても同様である。）。このとき、利用者１９が外部表示装置１８を利用することにより、前述のように、写真撮影および画像編集のための準備を行うことができる。
【００８３】
ここで、外部表示装置１８のＬＣＤパネル２０に、図３（ａ）に示されるような画像を表示するために、制御装置７０にて行われる処理について、図１７に基づいて説明する。
【００８４】
まず、外部表示装置１８に送信する画像の各画素について以下の処理を行う（Ｓ２０）。すなわち、前記画素が鏡像を表示する領域に含まれるか否かを判断し（Ｓ２１）、含まれない場合には編集サンプル画像の画素データを（Ｓ２２）、含む場合には黒色の画素データを（Ｓ２３）、それぞれ外部表示装置１８に送信する。
【００８５】
上記の処理動作により、外部表示装置１８のＬＣＤパネル２０には、図３（ａ）に示されるように、サンプル画像において、撮影画像が合成されるべき領域が黒色に表示される。これにより、前述のように、マジックミラー２１上では、サンプル画像と待機中の利用者１９の鏡像とが合成されたような画像を表示することができる。
【００８６】
再び図１６に戻ると、利用者の順番が回ってきて、利用者１３が写真プリントシステム１０内に進入し、コイン投入口３５から代金としてコインを投入すると（Ｓ１１）、コイン処理装置７２から制御装置７０にコインの投入が通知されることにより課金処理が行なわれる。課金処理が正常に完了したことが確認されると、プレイ動作が開始され、以下の処理が行なわれる。
【００８７】
まず、写真撮影処理が行われる（Ｓ１２）。図１８は、写真撮影処理において制御装置７０にて行われる処理動作について示している。以下、図１８に基づいて写真撮影処理について説明する。
【００８８】
まず、撮影枚数や撮影時間の設定などの各種設定を行う（Ｓ３０）。次に、撮影装置の選択が行われる（Ｓ３１）。すなわち、アップ撮影装置１２ａ、全身撮影装置１２ｂ、または天井撮影装置１２ｃの選択や、撮影アングルの調整が行なわれる。
【００８９】
次に、選択された撮影装置１２の補助照明ランプ３８を点灯し（Ｓ３２）、選択された撮影装置１２に対応する撮影用表示装置２３および操作用表示装置４０を作動させる（Ｓ３３）。これにより、複数の撮影装置１２、撮影用表示装置２３および操作装置２５の中から撮影に利用されるものが利用者１３によって容易に理解される。
【００９０】
次に、利用者１３が遠隔装置２５の写真撮影開始ボタンを押すまで（Ｓ３４でＮＯ）、撮影用表示装置２３にライブビュー画像を表示し続ける（Ｓ３５）。そして、利用者１３が、前記ライブビュー画像を参照しつつ所望のポーズをとり、所望のタイミングで遠隔装置２５の写真撮影開始ボタンを押すと（Ｓ３４でＹＥＳ）、前記撮影用表示装置２３および操作用表示装置４０の表示を停止させ（Ｓ３６）、カウントダウン後にストロボ照明およびシャッタを作動させる（Ｓ３７）ことにより写真撮影が実行される。
【００９１】
次に、前記撮影用表示装置２３および操作用表示装置４０を作動させて、表示を再開させる（Ｓ３８）。そして、再び写真撮影を行う場合には、ステップＳ３４に戻って上記の撮影処理を繰返す（Ｓ３９）。その後、写真撮影を終了する。
【００９２】
再び、図１６に戻ると、写真撮影（Ｓ１２）が終了すると、撮影処理によって取得された撮影画像に対して画像の編集処理を行う（Ｓ１３）。画像編集処理は、主に以下のように行われる。まず、複数回の撮影により取得された複数の撮影画像を編集表示タブレット６０に表示し、これら複数の撮影画像の中から落書きなどの編集処理を行う撮影画像の選択を行う。これにより、撮影時に目をつぶってしまったり、不本意な状態で撮影されたりした撮影画像などを排除して、利用者の好みにあった画像を選択することができる。
【００９３】
次に、選択された撮影画像を編集表示タブレット６０に表示し、タブレット用ペン６２を用いて、撮影画像に対して色の変更、落書きなどの画像編集を行う。このとき、図１４（ａ）（ｂ）に示されるような処理を行うことができる。そして、別の撮影画像に対して画像編集を行う場合には、上記の画像編集処理を繰返し、その後、画像編集処理を終了する。
【００９４】
次に、写真プリントの出力処理を行う（Ｓ１４）。出力処理は、主に以下のように行われるる。まず、シール紙７６上での分割数または分割パターンを利用者１３に選択させ、選択された分割領域ごとに、ステップＳ１３にて編集処理された編集画像が印刷されるように、プリンタ７３を制御して印刷を行う。その後、プリント排出口１５から印刷された写真シールプリントが排出されて、利用者１３のプレイ動作が終了する。
【００９５】
なお、本発明は上記の実施形態に限定されるものではなく、請求項に示した範囲で種々の変更が可能である。
【００９６】
例えば、本実施形態では、背景画像などの画像に人物像がどのように合成されるかを表示する画像表示装置として、写真プリントシステム１０の外部表示装置１８を例に説明してきたが、その他任意のシステムにおける画像表示装置、または画像表示装置単体にも本願発明を適用することができる。
【００９７】
また、外部表示装置１８のＬＣＤパネル２０に配備されるマジックミラー２１と、画像編集装置１４の編集表示タブレット６０に配備されるマジックミラー６１とに代えて、入射光の一部を反射し、一部を透過するハーフミラーを使用することができる。この場合、ハーフミラーは、少なくとも、ハーフミラーにて透過したＬＣＤパネル２０からの画像を利用者が認識できる程度の透過率を有し、かつ、ハーフミラーにて反射した利用者の鏡像を利用者が認識できる程度の反射率を有することが望ましい。
【００９８】
また、本実施形態では、撮影装置１２の撮影カメラ３０、撮影用表示装置２３のＬＣＤパネル３２、および操作装置２５のＬＣＤパネル４０にそれぞれマジックミラー３１・３３・４１を配備している。しかしながら、マジックミラー３１・３３・４１は、それぞれ内側の撮影カメラ３０およびＬＣＤパネル３２・４０を隠蔽する目的で使用されるため、マジックミラー３１・３３・４１の代わりに、ハーフミラー、スモークガラスなど、透過率の低い任意の光透過手段を利用することができる。
【００９９】
なお、スモークガラスなどのように、外側から鏡面状態には見えない光透過手段を使用する場合には、光透過手段は、その周囲の色彩や絵柄に合わせることが望ましい。
【０１００】
また、本実施形態では、マジックミラー２１・３３・６１は、ＬＣＤパネル２０・３２および編集表示タブレット６０を覆うように設けられているが、ＬＣＤパネル２０・３２および編集表示タブレット６０の表示画面のみを覆うように設けることもできる。同様に、撮影カメラ３０を覆うように設けられているマジックミラー３１を、撮影カメラ３０のレンズ部分のみを覆うように設けることもできる。また、本実施形態では、画像の表示手段としてＬＣＤパネル２０・３２を利用しているが、ＣＲＴなど任意の表示手段を利用することができる。
【０１０１】
【発明の効果】
以上のように、本発明の画像表示装置は、画像に人物像がどのように合成されるかを表示する画像表示装置であって、上記画像を表示画面に表示する表示手段と、該表示手段の表示画面上に設けられた半透鏡手段とを備える構成である。
【０１０２】
これにより、利用者が、表示画面に表示され、半透鏡手段にて透過した画像を見るとともに、半透鏡手段にて反射した利用者の鏡像を見ることができるから、簡便な構成で、画像と人物像との合成結果を知ることができるという効果を奏する。
【０１０３】
さらに、本発明の画像表示装置は、以上のように、上記の構成において、上記画像において、人物像が合成される領域を低輝度とした画像を表示するように表示手段を制御する制御手段をさらに備える構成である。
【０１０４】
これにより、人物像が合成される領域からの発光が抑えられるため、半透鏡手段の対応する領域に利用者の鏡像が明確に表示されることになり、したがって、画像と人物像との明確な合成結果を表示できるという効果を奏する。
【０１０５】
また、本発明の写真プリントシステムは、以上のように、被写体の撮影を行う撮影手段と、該撮影に基づいて画像を作成してプリント紙に出力する画像出力手段とを備える写真プリントシステムにおいて、上記構成の画像表示装置を備える構成である。
【０１０６】
これにより、簡単な構成で、画像と人物像との合成結果を表示でき、実際に合成した画像を表示する手段を省略できる効果を奏し、したがって、写真プリントシステムのコストの低減を図ることができるという効果を奏する。
【０１０７】
また、本発明の写真プリントシステムは、以上のように、上記の構成において、上記画像表示装置の表示手段および半透鏡手段は、写真プリントシステムの利用を待機している待機者が利用できる位置に配備する構成である。
【０１０８】
これにより、写真プリントシステムにて利用される背景画像などの画像を画像表示装置の表示手段に表示すれば、画像表示装置は、これらの画像と上記待機者の鏡像との合成結果が表示されることになるので、上記待機者は、写真プリントシステムを実際に利用する前に、画像と利用者の人物像との合成結果を知ることができるという効果を奏する。
【０１０９】
また、本発明のプリント紙ユニットは、以上のように、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力される構成である。
【０１１０】
これにより、写真プリントシステムにおいて指定されているプリント紙以外は使用できないように設定することが可能となるという効果を奏する。
【０１１１】
また、識別情報に用紙枚数情報を含ませることによって、プリント紙を使用するごとに用紙枚数をカウントダウンすることにより、残りの用紙枚数を把握することが可能となるという効果を奏する。
【０１１２】
また、識別情報に用紙種類情報を含ませることによって、これらを考慮して画像データの色成分などを補正することにより、その用紙やインクフィルムに的確な画像出力を行うことが可能となるという効果を奏する。
【図面の簡単な説明】
【図１】本発明の一実施形態である写真プリントシステムの概要を示す斜視図である。
【図２】同図（ａ）〜（ｃ）は、上記写真プリントシステムの外側に設けられた外部表示装置のマジックミラー上に表示される画像を示す図である。
【図３】同図（ａ）は、上記外部表示装置における表示画面に表示される画像を示す図であり、同図（ｂ）は、上記外部表示装置のマジックミラー上に表示される画像を示す図である。
【図４】上記写真プリントシステムの内部構成を示す側面図である。
【図５】上記写真プリントシステムの内部構成を示す平面図である。
【図６】上記写真プリントシステムにおける本体装置の外観を後方から見た斜視図である。
【図７】上記本体装置の要部背面図であり、本体装置の撮影用表示装置における表示例を示している。
【図８】上記撮影用表示装置のマジックミラー上に表示される画像を示す図であり、同図（ａ）は、利用者の鏡像を縦楕円形の領域に示しており、同図（ｂ）は、利用者の鏡像を横楕円形の領域に示している。
【図９】撮影装置の内部構成を示す断面図である。
【図１０】同図（ａ）は、操作装置の外観を示す斜視図であり、同図（ｂ）は、操作装置の内部構成を示す断面図である。
【図１１】操作装置の外観を示す斜視図であり、図１０（ａ）に示される操作装置とは別の構成例を示している。
【図１２】図１０（ａ）に示される操作装置の表示画像とは別の表示画像の例を示す斜視図であり、同図（ａ）は、ホラーモード用ボタンの表示例を示しており、同図（ｂ）は、英語モード用ボタンの表示例を示している。
【図１３】上記写真プリントシステムにおける本体装置の外観を前方から見た斜視図である。
【図１４】上記本体装置の前方に設けられた画像編集装置における編集画像の例を示す図である。
【図１５】上記写真プリントシステムの概略構成を示すブロック図である。
【図１６】上記写真プリントシステムにおけるプレイ処理の流れを示すフローチャートである。
【図１７】上記外部表示装置に表示される画像編集のデモンストレーション表示の処理の流れを示すフローチャートである。
【図１８】上記写真プリントシステムにおける写真撮影処理の流れを示すフローチャートである。
【符号の説明】
１０　　写真プリントシステム
１２　　撮影装置（撮影手段）
１８　　外部表示装置（画像表示装置）
２０　　ＬＣＤパネル（表示手段）
２１　　マジックミラー（半透鏡手段）
７０　　制御装置（制御手段）
７３　　プリンタ（画像出力手段）
７４　　ＩＤタグリーダ／ライタ（識別情報読取手段）
７６　　シール紙（プリント紙）
７５　　シール紙ユニット（プリント紙ユニット）
７７　　ＩＤタグ（識別媒体）
【図１】
2004126389.tif 000003
【図２】
2004126389.tif 000004
【図３】
2004126389.tif 000005
【図４】
2004126389.tif 000006
【図５】
2004126389.tif 000007
【図６】
2004126389.tif 000008
【図７】
2004126389.tif 000009
【図８】
2004126389.tif 000010
【図９】
2004126389.tif 000011
【図１０】
2004126389.tif 000012
【図１１】
2004126389.tif 000013
【図１２】
2004126389.tif 000014
【図１３】
2004126389.tif 000015
【図１４】
2004126389.tif 000016
【図１５】
2004126389.tif 000017
【図１６】
2004126389.tif 000018
【図１７】
2004126389.tif 000019
【図１８】
2004126389.tif 000020